(57)【要約】【課題】      遅延波伝搬環境に応じて可変にサンプリング区間を可変に設定し、通信品質の良好な無線通信技術を提供すること。【解決手段】  直交周波数分割多重信号のデータ部と、信号が存在しない無信号部とを有する受信信号を処理する無線通信装置は、複数の到来波を受信する受信ユニットと、複数の到来波の遅延伝搬特性を判別する判別ユニットと、判別ユニットにより判別した遅延伝搬特性に基づいて、受信信号のサンプリング区間を設定する設定ユニットとを有することを特徴とする。【選択図】  図１Ａ
2006115094.tif 000002
【特許請求の範囲】
【請求項１】
直交周波数分割多重信号のデータ部と、信号が存在しない無信号部とを有する受信信号を処理する無線通信装置であって、
複数の到来波を受信する受信手段と、
前記複数の到来波の遅延伝搬特性を判別する判別手段と、
前記判別手段により判別した前記遅延伝搬特性に基づいて、受信信号のサンプリング区間を設定する設定手段と、
を有することを特徴とする無線通信装置。
【請求項２】
前記設定手段により設定された前記サンプリング区間のデータをサンプリングし、サンプリング値を出力するサンプリング手段と、
前記サンプリング手段によりサンプリングされたサンプリング値の有効FFT区間以降のデータを、有効FFT区間のデータの先頭部分に加算する加算手段と、
前記加算手段により加算処理されたデータを周波数軸上のデータに変換する変換手段と、
を有することを特徴とする請求項１に記載の無線通信装置。
【請求項３】
前記判別手段は、前記受信手段により受信された複数の到来波と、予め準備されている規範データとの相関レベルに基づいて、最も早い到来波と最も遅い到来波との遅延時間を判別することを特徴とする請求項１または２に記載の無線通信装置。
【請求項４】
前記設定手段は、前記有効FFT区間の時間に前記遅延時間を加算した時間を、前記サンプリング区間として設定することを特徴とする請求項１に記載の無線通信装置。
【請求項５】
前記受信手段は、複数の周波数帯域を切り替えて送信される信号を受信することを特徴とする請求項１に記載の無線通信装置。
【請求項６】
受信したゼロ・プリフィクス形式のデータシンボルを処理する信号処理方法であって、
受信した複数の到来波の遅延伝搬特性を判別する判別工程と、
前記判別工程において判別した前記遅延伝搬特性に基づいて、受信信号のサンプリング区間を設定する設定工程と、
を有することを特徴とする信号処理方法。
【請求項７】
前記判別工程における判別に基づいて、前記サンプリング区間におけるサンプリングデータの遅延部分のデータを前記サンプリングデータの先頭部分に加算する加算工程を更に有することを特徴とする請求項６に記載の信号処理方法。
【請求項８】
請求項６に記載の信号処理方法をコンピュータに実行させることを特徴とするプログラム。
【請求項９】
請求項８に記載のプログラムを格納していることを特徴とするコンピュータ可読の記憶媒体。
【発明の詳細な説明】
【技術分野】
【０００１】
本発明は、無線通信装置及び信号処理方法、プログラム、記憶媒体に関する。
【背景技術】
【０００２】
現在、Bluetoothシステムなど従来のWPAN（Wireless Personal Area Network）システムより高速な通信を実現できる物理層方式として、UWB（Ultra Wide Band）通信方式を利用することが提案され、IEEE802.15規格群として標準規格の策定が進められている。UWBはきわめて広い帯域を占有して通信を行う代わりに、放射電力を通常の機器が発生する輻射雑音レベル程度に抑えることによって、空間的に周波数の利用効率を向上させようとする方式であり、送信レベルが低いために伝送距離が短くなる反面、見通しのきく通信路を想定することができるので比較的高速なデータ通信が実現できると考えられている。従って、WPANのような極近距離においてマルチメディアデータのような大容量データを通信するには、UWB方式が非常に適していると言える。
【０００３】
無線LANやWPANなどの室内無線通信システムでは、送信機から送信された無線信号は壁や天井、室内に配置された家具や什器類で反射されて、受信機においては直接到来波と遅延到来波とが合成された信号として受信される。このような無線通信環境は遅延伝搬環境あるいは多重伝搬環境などと呼ばれる。このような多重伝搬路では、受信機において正しく伝送データを復調するために、遅延波によって引き起こされる波形歪を何らかの方法で補正する必要がある。このような波形歪の補正方法としては時間軸上での適応等化器などによって補正を行う方式がある一方、変調方式自体に遅延波に対する耐性を持たせる方式もある。
【０００４】
遅延波干渉による影響を除去できる通信方式の一つとしてOFDM（Orthogonal Frequency Division Multiplexing）変調方式（直交周波数分割多重変調方式）が挙げられる。
【０００５】
OFDM方式は現在デジタルテレビ放送や無線LANシステムなどに既に採用されており、占有帯域の周波数軸上において、直交する複数の狭帯域信号を配置する変調方式である。ここで、これら複数の狭帯域信号をサブキャリアと呼ぶ。それぞれのサブキャリアは伝送速度の低い信号であるため、マルチパスによる遅延波干渉に比較的強い特性を持つ。さらに、時間軸上の各データシンボル間にガードインターバルと呼ばれる領域を設けることで、遅延波によるデータシンボル間の干渉を一層低減させている。OFDM信号の変調および復調処理には、デジタル演算による高速フーリエ変換（FFT）処理が使用される。
【０００６】
図５は、例えば、IEEE802.11gあるいはIEEE802.11aといった無線ＬＡＮ標準規格において利用されているOFDMパケットのデータシンボル（「フレーム」ともいう。以下同様）の構成を示す図である。これらのデータシンボル（N-1,N,N+1）は、OFDM信号の一周期に相当する有効FFT区間長（有効データシンボル）に対し、有効データシンボルの前方部のガードインターバル区間に有効FFT区間長の後部と同一の波形をコピーして形成される。このようにデータシンボルの一部をコピーするガードインターバルの形式は、サイクリック・プリフィクス形式と呼ばれる。OFDM通信では、このようにして形成されたデータシンボルを時間軸上で連続して送信する。
【０００７】
図６は、サイクリック・プリフィクス形式のOFDMシンボルを復調する処理を説明する図であり、直接波および１本の遅延波が合成される二波モデルを例としている。サイクリック・プリフィクスを含めたOFDMシンボルは有効FFT区間長よりも時間的に長いため、受信機は受信信号に対してシンボル内から適切なサンプリング開始点を判定し、そこから有効FFT区間長をサンプリング区間としてデータをサンプリングする。たとえば、直接波など受信信号が一波だけである場合、１つのシンボルに含まれるFFT有効区間であれば、どの位置のサンプリングデータを用いても正しくFFT処理によって復調できるが、同図のように遅延波によって時間的にずれた信号が重畳された場合、受信信号におけるシンボルの変化点付近では隣接するシンボル間のデータが重なり合うため、シンボル間干渉が生じる。
【０００８】
FFT処理においてこのようなシンボル間干渉を受けた信号部分をデータ復調に採用すると、シンボル間干渉による復調品質の劣化がおこるため、受信機は１つのシンボル内において同図のようにシンボル間干渉の影響を受けていない部分をサンプリング区間としてデータのサンプリングを行う必要がある。このように干渉を受けているガードインターバル区間を除いてFFT区間を設定すれば正しく復調が行えるので、OFDM方式は遅延波干渉に耐性があると考えられており、一般にガードインターバル長までの遅延多重波に対して干渉の影響を防ぐことが可能となる。
【０００９】
一方、WPANの物理層として採用されるUWBに関する通信方式として、現在、マルチバンドOFDM方式が提案されている。マルチバンドOFDM方式は、OFDM変調方式によって多重化された無線信号を、１シンボルごとに異なる周波数帯域を切り換えて通信する方式である。
【００１０】
図７は、３つの異なる周波数帯を利用するマルチバンドOFDM方式の動作原理を説明する図である。マルチバンドOFDM送信機は、３つの周波数帯域f1、f2、f3を同図のように時間軸上で順番に切り換えながらOFDM信号を送信する。このようなマルチバンドOFDM方式においてもガードインターバルを利用することにより、遅延多重波の影響を除去できることは同様であるが、本方式では前述したサイクリック・プリフィクス形式ではなく、ゼロ・プリフィクス形式のガードインターバルが使用される。
【００１１】
ゼロ・プリフィックス形式もサイクリック・プリフィックス形式と同様に、有効FFT区間となるシンボルに対して、隣接するシンボル間にガードインターバルを挿入するが、ゼロ・プリフィックス方式ではガードインターバルとして信号の存在しないヌル区間を挿入する。図８にゼロ・プリフィックス形式を用いたOFDMシンボル（「フレーム」ともいう。以下同様））の構成を示す。
【００１２】
ゼロ・プリフィック形式の場合、遅延多重波が重畳される様子はサイクリック・プリフィックスの場合とは異なった振る舞いを示す。
【００１３】
図９は、ゼロ・プリフィクス形式における遅延多重波の様子とサンプリングおよび信号合成の原理を説明する図である。サイクリック・プリフィクス形式では、遅延多重波によってシンボルの切り替わり点付近において隣接するシンボルが加算されることによるシンボル間干渉（図６）が発生したが、ゼロ・プリフィックス形式では、図９のようにシンボル間にヌル区間があるため隣接するシンボルからの干渉は受けず、シンボル期間全体にわたって単一の遅延波が時間軸上でずれて、直接波に加算された重畳波形（受信信号）となる。
【００１４】
この結果、シンボルの両端ではこれら２波のうちどちらかの成分のみを持つため波形の非連続が起こり、結果として波形歪が発生する。しかしながらゼロ・プリフィクス形式のOFDM受信機では、同図に示したように有効FFT区間およびガードインターバルの両方の期間で連続して受信信号のサンプリングを行い、得られたガードインターバル期間でのサンプリングデータを有効FFT区間の先頭部分に加算する。この処理によって得られる信号はシンボル期間内で連続な二波の信号波形が加算されたものとなり、このためFFT処理による正しい復調が可能となる。
【００１５】
このようなゼロ・プリフィックス形式のOFDM信号を復調するOFDM受信機の構成例を図４に示す。OFDM受信機は、アンテナ11、RF処理部12、アナログ信号をデジタル信号に変換するAD変換器13、デジタル演算によって復調を行うデジタル復調器14から構成される。
【００１６】
次に、このようなOFDM受信機に具備される従来のデジタル復調器14の構成を図１０に示す。従来技術によるデジタル復調器14は、同期ユニット101、サンプリングユニット102、サンプリング合成ユニット103、FFTユニット104、等化器105、通信路復号器106等から構成されている。
【００１７】
アンテナ11で受信された受信信号に対して、受信機はRF処理部12において受信信号を低周波数帯の受信信号に変換する。変換された信号はAD変換器13によってデジタルデータに変換され、デジタル復調部14へと伝えられる。
【００１８】
デジタル復調器14では、得られたデジタルデータに対して、同期ユニット101において、プリアンブルなどのトレーニング波形との相関演算などからフレーム同期を捕捉する。フレーム同期が捕捉された後、その同期点から受信データのサンプリング開始点が決定され、サンプリングユニット102において有効FFT長およびガードインターバル期間において受信データがサンプリングされる。このようにして得られたサンプリングデータはサンプリング合成ユニット103へ送られ、図９に示した処理のようにガードインターバル期間のサンプリングデータは、有効FFT区間のサンプリングデータの先頭部分に加算される。
【００１９】
このようにして得られた合成サンプリングデータは、FFT処理ユニットへ送られ時間軸上の信号から周波数軸上での復調信号に変換される。受信信号には遅延波が重畳されているため、この復調信号のサブキャリアごとの位相および振幅は送信波形と比較して変化しているが、それぞれのサブキャリアごとには連続した信号でありシンボル間干渉などの影響を受けていない。そのためFFTユニット104において受信信号は正しくFFT処理され、等化器105において周波数軸上でサブキャリアごとに位相と振幅が補正され、正しい受信データが復調される。復調された受信データはこの後、通信路復号器106へ伝えられ復号処理が施された後、アプリケーションなどの上位層へと送られる。
【００２０】
以上、従来のゼロ・プリフィクス形式のOFDM受信機の構成例を挙げて、多重波伝搬環境下においてもOFDM信号が正しく受信データが復調できることを示した。しかしながら従来の復調器14ではサンプリング区間長があらかじめ決められていたため、所望の遅延波がガードインターバルに存在しない、あるいは遅延時間が短くガードインターバルの後方部分には信号が存在しない場合であっても、これらのサンプリングデータを用いて復調を行っていた。そのため、ガードインターバル期間に所望の遅延波以外の干渉成分が存在した場合、この成分が復調特性に影響を与えるために通信品質が劣化するという問題があった。
【００２１】
特に、マルチバンドOFDM方式では、異なる周波数ホッピングパタンを持った複数のシステムが帯域を時間分割して共有することが想定されており、このような場合、ホッピングタイミングのずれによって他のホッピングパタンに同期している無線局からの信号をこのガードインターバル期間に受信するおそれがあり、この無信号区間のサンプリング値を用いて復調を行う場合には大きな影響を受ける。このような問題を解決するために、周辺の無線伝搬環境特性に応じてサンプリング区間長を適応的に可変し、不要なサンプリング区間のサンプリング値を復調処理に採用しない方式が必要となる。
【００２２】
このようにOFDM通信方式におけるサンプリング区間を制御する従来技術としては、特許文献１が挙げられる。特許文献１では、遅延多重波の影響によって検出された複数のピーク検出タイミングについて、最も早いタイミングとなるピーク時点を基準にサンプリング区間の開始を設定している。特許文献１は、サイクリック・プリフィクス形式を用いたOFDMフレームに対するサンプリングでは、サンプリング開始点を適応的に選択するために効果はあるが、ゼロ・プリフィックス形式のOFDMシンボルに対しては、一定のサンプリング区間長でサンプリングを行うため何ら遅延波除去の効果が得られない。
【００２３】
また、OFDM通信方式におけるサンプリング区間を制御する他の従来技術として、特許文献２がある。特許文献２では複数のサンプリング点の候補から得られた複数のサンプリングデータに対してFFT演算を行い、FFT演算結果から得られたパイロットサブキャリアの位相および振幅情報から前述した複数のサンプリング点の候補から最も確からしい同期開始ポイントを選択している。特許文献２では複数の同期点候補に対応したサンプリングデータに対するFFT演算を行っているため、処理遅延が大きく回路構成および演算量も増大するという欠点がある。さらに前述の従来技術と同様に、FFT演算を開始する同期点を判定しているに過ぎず、ゼロ・プリフィックス形式のガードインターバルを用いたOFDM変調方式に適用することができない。
【特許文献１】特開2000-224132号公報
【特許文献２】特開2003-134083号公報
【発明の開示】
【発明が解決しようとする課題】
【００２４】
以上説明したように、ゼロ・プリフィクス形式を用いたOFDM通信方式では、ガードインターバル期間においても継続してサンプリングを行うことにより、遅延波干渉による波形歪の発生を抑制している反面、遅延波の存在しない区間のサンプリング値も復調に用いてしまうため、雑音や干渉波を不必要に取り込んでしまうことによって通信品質が劣化するという問題点があった。
【００２５】
本発明ではこのような問題点を鑑み、遅延波伝搬環境に応じて良好な通信品質を実現する無線通信技術を提供することを目的とする。
【課題を解決するための手段】
【００２６】
上記目的を達成するため、本発明にかかる無線通信装置は、直交周波数分割多重信号のデータ部と、信号が存在しない無信号部とを有する受信信号を処理する無線通信装置であって、複数の到来波を受信する受信手段と、前記複数の到来波の遅延伝搬特性を判別する判別手段と、前記判別手段により判別した前記遅延伝搬特性に基づいて、受信信号のサンプリング区間を設定する設定手段とを有することを特徴とする。
また、本発明にかかる信号処理方法は、受信したゼロ・プリフィクス形式のデータシンボルを処理する信号処理方法であって、受信した複数の到来波の遅延伝搬特性を判別する判別工程と、前記判別工程において判別した前記遅延伝搬特性に基づいて、受信信号のサンプリング区間を設定する設定工程とを有することを特徴とする。
【発明の効果】
【００２７】
本発明によれば、遅延波伝搬環境に応じて可変にサンプリング区間を設定するため、所望の遅延波以外の干渉成分を除去して復調することができ、通信品質の良好な無線通信技術を提供することが可能になる。
【発明を実施するための最良の形態】
【００２８】
本発明に係る受信装置の実施形態を図面を参照しながら説明する。
【００２９】
図１Ｂは、受信装置の構成を示すブロック図であり、従来における受信装置の構成を示す図４と重複する部分は、同一の参照番号を使用している。受信装置は、アンテナ11、RF処理部12、アナログ信号をデジタル信号に変換するためのAD変換器13、デジタル演算によって復調を行うデジタル復調器140から構成されており、デジタル復調器140の構成に特徴がある点で、図４の構成と相違する。
【００３０】
ゼロ・プリフィクス形式のシンボル構成を持ったOFDM変調方式による通信システムであれば、様々なアンテナ構成、利用する周波数帯域、高周波処理部の構成などに対して適用が可能である。アナログ信号のサンプリングに関しても、図１Ｂではパスバンド帯域でサンプリングを行う場合を想定しているため１個のAD変換器を具備しているが、ベースバンド帯域で同相チャネルおよび直交チャネルのサンプリングを行う場合であれば、２個のAD変換器を用いることも可能である。
【００３１】
図１Ａは、本発明の実施形態に係る受信装置におけるデジタル復調器140の構成を示す図である。デジタル復調器140は、同期ユニット201、サンプリング区間設定ユニット202、サンプリングユニット203、サンプリング合成ユニット204、FFTユニット205、等化器206、通信路復号器207、などから構成されている。
【００３２】
OFDM通信方式を用いた無線通信システムを構成する送信装置はOFDM変調された送信信号を送信し、この送信信号は有効ＦＦＴ区間（時間）長のデータシンボルと信号が存在しないヌル区間とから構成され、ヌル区間は連続するデータシンボルの間に挿入されるデータ構成を有するものとする。
【００３３】
無線通信システムを構成する受信装置においては、まず、送信装置から送信された送信信号は、受信装置のアンテナ11で受信され（OFDM受信信号）、アンテナ11で受信したOFDM受信信号に対して、RF処理部12はAD変換が可能な低い信号帯域へ変換する。そして、変換された受信信号は、AD変換器13によってデジタル受信データに変換される。無線LANやWPANでは、一般的にパケット型の通信が行われるが、受信装置においては、到来したパケットに対して最初に同期ユニット201がフレーム同期を獲得する。パケット型通信では、主にパケット先頭に付加されたプリアンブルに対して相関演算を行うことによって同期点を判定する（図２を参照）。プリアンブルには自己相関特性の良好な、すなわち周期自己相関特性が同期点のみで鋭いピークを持ち、同期点以外の部分ではゼロ、あるいは極めて低い相関値を持つような信号パタンが用いられる。同期ユニット201は、このようなプリアンブル信号パタンと同一波形となるレプリカパタン（このレプリカパタンは、予め準備されたデータであり、以下、「規範データ」ともいう。）を持ったマッチドフィルタを具備し、受信信号との相関演算を行った結果、波形パタンが一致する相関レベルに応じて、マッチドフィルタ出力として相関ピークを算出する。
【００３４】
遅延多重波伝搬環境においては、受信信号に複数の到来波が含まれているため、実際のマッチドフィルタ出力は、図２にようにそれぞれの到来波の遅延時間によって、信号レベルに応じた強さとなる複数の相関ピークが現れる。図２のような波形は送信装置から受信装置までの通信路のインパルス応答を示しており、一般的に遅延プロファイルと呼ばれる。同期ユニット201は、受信信号に対して相関演算を行うことによって、このような遅延プロファイルを測定し、この測定結果をサンプリング区間設定ユニット202へ伝える。
【００３５】
サンプリング区間設定ユニット202は、この遅延プロファイルから遅延波の到来する最大遅延時間を判定する。ここで複数の遅延波のうち信号レベルが小さいものは特に復調に影響を与えないとして無視できる場合、最大遅延時間の判定には、例えば、図２に示したようにある一定の閾値を設定し、その閾値以上の相関レベルを持った相関ピークのみを抽出し、その中で最も早く到来する波と最も遅く到来する波との間の到来時間差を最大遅延時間と判定することができる。サンプリング区間設定ユニット202は、この遅延プロファイルにおける相関ピークAのタイミング（同期点Ａ）をサンプリングの開始時点として決定し、有効FFT区間長に対して相関ピークAと相関ピークBのタイミング（同期点Ｂ）間の時間間隔を加算することによりサンプリング区間（時間）を設定する。
【００３６】
図３は、到来する遅延波の最大遅延時間が大きい場合（ａ）と、小さい場合（ｂ）の遅延プロファイル、および受信信号に対するサンプリング区間の設定方法（ｃ）を説明する図である。
【００３７】
ここで、受信装置が受信する受信信号の１シンボル長のうち有効FFT区間（時間）長をＴとする。受信装置において、遅延多重波の最大遅延時間が大きい場合は（ａ）、サンプリング区間設定ユニット202は相関ピークA1と相関ピークB1の間の時間ｔ1をＴに加算して、受信信号に対するサンプリング区間（時間）をＴ＋ｔ１と設定する（（ｃ）を参照）。
【００３８】
一方、遅延多重波の最大遅延時間が小さい場合（ｂ）には、サンプリング区間設定ユニット202は相関ピークＡ2と相関ピークＢ2の間の時間t2をＴに加算して、受信信号に対するサンプリング区間（時間）をＴ+ｔ2と設定する（（ｃ）を参照）。このようなサンプリング区間の設定によって、遅延伝搬環境特性に従った最適なサンプリング時間長を適応的（可変）に設定することが可能になる。
【００３９】
また、受信信号に遅延波の干渉信号が存在した場合であっても、干渉信号はプリアンブルの波形パタンと無相関であるためマッチドフィルタにはこのような干渉信号成分は出現しない。従って、マッチドフィルタ出力を用いることによって遅延波成分のみが抽出され、復調に必要な最低限のサンプリング区間が正しく判定できる。
【００４０】
更に、このようにして決定されたサンプリング開始点とサンプリング区間（時間）長はサンプリングユニット203に伝えられ、サンプリングユニット203は受信デジタルデータのうちサンプリング区間設定ユニット202によって指定されたタイミングのデータを取り込む。サンプリングユニット203は取り込んだデータをサンプリングし、得られたサンプリングデータをサンプリング合成ユニット204に出力する。サンプリング合成ユニット204は、受け取ったサンプリングデータの有効FFT区間長以降のデータ（最大遅延時間に基づいて有効FFT区間に加算した時間区間のデータ）を有効FFT区間の先頭部分のデータへ加算を行い、FFTユニット205に出力し、FFTユニット205により周波数軸上の復調データが得られる。同期ユニット201によって得られた遅延伝搬特性から必要なサンプリング区間長を適応的に可変に設定することで、不要な干渉成分が除去されたサンプリングデータを用いてFFT演算を実行することが可能になる。
【００４１】
FFT演算の後、一般的なOFDM復調器と同様に等化器206によって周波数軸上での等化処理により、サブキャリアごとに位相と振幅が補正され、正しい受信データが復調される。復調された受信データはこの後、通信路復号器207へ伝えられ復号処理が施された後、アプリケーションなどの上位層へと送られる。
【００４２】
本実施形態によれば、遅延波伝搬環境に応じて適応的（可変）に最適なサンプリング区間（時間）を設定するため、所望の遅延波以外の干渉成分を除去して復調することができ、通信品質の良好な無線通信技術を提供することが可能になる。
【００４３】
また、本説明では、通信方式として周波数帯域を切り換えないゼロ・プリフィクス形式のシステムを例としたが、本発明は単一のOFDMデータシンボルに着目したものであるため、通常のOFDM方式のみならず、複数の周波数帯域を切り替えて通信するマルチバンドOFDM方式のように周波数ホッピングによる通信方式においても本発明は適用可能である。
【００４４】
［他の実施の形態］
本発明の目的は、前述したように、上述の実施形態にかかる送信される直交周波数分割多重信号の一周期に相当する有効データ部と、信号が存在しない無信号部とを有する受信信号を処理する無線通信装置の機能を実現する信号処理プログラムのプログラムコードを記録した記憶媒体を装置に提供し、その装置のコンピュータ（又はＣＰＵやＭＰＵ）が記憶媒体に格納されたプログラムコードを読み出し実行することによっても達成される。
【００４５】
この場合、上述の無線通信装置において実行される信号処理方法は、受信したゼロ・プリフィクス形式のデータシンボルを処理する信号処理方法であって、受信した複数の到来波の遅延伝搬特性を判別する判別工程と、前記判別工程において判別した前記遅延伝搬特性に基づいて、受信信号のサンプリング区間を設定する設定工程とを有することを特徴とする。
【００４６】
信号処理プログラムは、かかる方法をコンピュータの処理動作としてコンピュータを機能させ、かかるプログラムのコードは、コンピュータ可読の記憶媒体に格納される。
【００４７】
この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００４８】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００４９】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００５０】
本実施形態によれば、遅延波伝搬環境に応じて適応的に最適なサンプリング区間を設定するため、所望の遅延波以外の干渉成分を除去して復調することができ、通信品質の良好な信号処理プログラム及びそのプログラムを格納するコンピュータ可読の記憶媒体を提供することが可能になる。
【図面の簡単な説明】
【００５１】
【図１Ａ】本発明の実施形態に係る受信装置におけるデジタル復調器の構成を示す図である。
【図１Ｂ】本発明の実施形態に係る受信装置の構成を示す図である。
【図２】遅延プロファイルを説明する図である。
【図３】到来する遅延波の最大遅延時間が大きい場合（ａ）と、小さい場合（ｂ）の遅延プロファイル、および受信信号に対するサンプリング区間の設定方法（ｃ）を説明する図である。
【図４】ゼロ・プリフィックス形式のOFDM信号を復調する受信機の構成例を示す図である。
【図５】サイクリック・プリフィクス形式のOFDMデータシンボルの構成図である。
【図６】サイクリック・プリフィクス形式のOFDM信号の復調する処理を説明する図である。
【図７】マルチバンドOFDM通信方式の原理を説明する図である。
【図８】ゼロ・プリフィクス形式のOFDMデータシンボルの構成を説明する図である。
【図９】ゼロ・プリフィクス形式のOFDM信号の復調原理を説明する図である。
【図１０】従来のOFDM受信機におけるデジタル復調器の構成を説明する図である。
【図１Ａ】
2006115094.tif 000003
【図１Ｂ】
2006115094.tif 000004
【図２】
2006115094.tif 000005
【図３】
2006115094.tif 000006
【図４】
2006115094.tif 000007
【図５】
2006115094.tif 000008
【図６】
2006115094.tif 000009
【図７】
2006115094.tif 000010
【図８】
2006115094.tif 000011
【図９】
2006115094.tif 000012
【図１０】
2006115094.tif 000013